(57)【要約】【課題】  簡易な機構によって感光材料の最大幅よりも広い幅でユニフォミティのためのテスト露光を行うことを可能とする。【解決手段】  印画紙２が格納された供給マガジン９０を、収容室１０内において印画紙２の幅方向（収容方向または収容方向とは反対の方向）に沿ってスライド可能なマガジン台２５に載置する。そして、収容室１０を開閉する扉体に備えられた付勢機構によって、供給マガジン９０を常に収容方向に付勢する。さらに、収容室１０内における供給マガジン９０の収容方向奥側に、押圧部材駆動機構４０によって収容方向または収容方向とは反対の方向に沿って移動可能な押圧部材４６を設ける。【選択図】        図５
2007025316.tif 000002
【特許請求の範囲】
【請求項１】
感光材料に露光を施して写真プリントを作成する写真処理装置において、
巻回された長尺の感光材料を収容する供給マガジンと、
前記供給マガジンを収容する収容室が形成された筐体と、
前記筐体内に配置されており、前記供給マガジンから引き出された感光材料を搬送する搬送機構と、
前記筐体内に配置されていると共に、感光材料の搬送方向と直交する主走査方向に沿って配列された複数の素子を有しており、前記素子からの光によって感光材料に対して露光処理を施す露光ヘッドと、
主走査方向に沿って移動可能であり、前記供給マガジンを押圧することによって、前記収容室内において前記供給マガジンを主走査方向に移動させることが可能な押圧部材と、
前記押圧部材を移動させるための駆動機構とを備えていることを特徴とする写真処理装置。
【請求項２】
前記駆動機構が、
モータと、
前記モータにより回転駆動される原動軸と、
前記押圧部材による押圧方向に延在していると共に前記押圧部材が嵌合固定されたボルトと、
前記ボルトに螺合されており、前記押圧方向における位置が固定されたナットと、
前記ナットと同軸上に配置されていると共に、前記ナットと一体に形成されている歯車と、
前記原動軸の回転力を前記歯車に伝達する回転力伝達部とを有していることを特徴とする請求項１に記載の写真処理装置。
【請求項３】
前記収容室内に配置され、且つ前記押圧方向に延在する１又は複数の位置決めピンをさらに備えており、
前記供給マガジンに、前記位置決めピンが挿嵌される孔又は凹部が形成されていることを特徴とする請求項１または２に記載の写真処理装置。
【請求項４】
１又は複数の前記位置決めピンのうちの少なくとも１つが前記ボルトと同軸上において前記ボルトの一端から連続して形成されていることを特徴とする請求項３に記載の写真処理装置。
【請求項５】
前記収容室への前記供給マガジンの収容方向と前記押圧部材による前記供給マガジンの押圧方向とが互いに逆方向であって、
前記収容室に前記供給マガジンを収容する際に、前記押圧部材が、前記収容室において前記供給マガジンが移動可能な領域よりも前記供給マガジンの収容方向奥側に位置するように前記駆動機構を制御する退避制御手段をさらに備えていることを特徴とする請求項１〜４のいずれか１項に記載の写真処理装置。
【請求項６】
前記収容室への前記供給マガジンの収容方向と前記押圧部材による前記供給マガジンの押圧方向とが互いに逆方向であって、
前記収容室を開閉する扉体の前記収容室側に設けられており、前記供給マガジンを前記収容方向に付勢する付勢機構をさらに備えていることを特徴とする請求項１〜５のいずれか１項に記載の写真処理装置。
【請求項７】
前記供給マガジンを載置するためのマガジン台と、
前記マガジン台を前記押圧部材による前記供給マガジンの押圧方向と反対の方向に付勢する付勢機構とをさらに備えていることを特徴とする請求項１〜５のいずれか１項に記載の写真処理装置。
【請求項８】
前記供給マガジンが、前記押圧部材による押圧方向における基準位置にあるか否かを検出するためのセンサをさらに備えていることを特徴とする請求項１〜７のいずれか１項に記載の写真処理装置。
【請求項９】
前記基準位置に配置された前記供給マガジンから引き出された感光材料に対して前記露光ヘッドによって露光処理を行うことで形成された画像のうち、複数の前記素子のうち配列方向中心に位置する素子によって感光材料に形成されたマーキングの位置と、当該感光材料の幅方向中心位置との差であるずれ量に基づいて、前記駆動機構を制御する位置補正制御手段とをさらに備えていることを特徴とする請求項８に記載の写真処理装置。
【請求項１０】
前記ずれ量を記憶するずれ量記憶手段をさらに備えていることを特徴とする請求項９に記載の写真処理装置。
【発明の詳細な説明】
【技術分野】
【０００１】
本発明は、供給マガジンから引き出された長尺の感光材料に対して露光ヘッドによって露光処理を施し写真プリントを作成する写真処理装置、より詳細には、使用可能な感光材料の最大幅よりも広い有効露光幅を有する露光ヘッドを用いて露光処理を施す写真処理装置に関する。
【背景技術】
【０００２】
近年、感光材料に露光を施して写真プリントを作成する写真処理装置においては、フィルムを撮像することによって得られたディジタル画像信号に基づいて制御された光で感光材料を露光するディジタル露光方式が実用化されている。ディジタル露光方式を採用することにより、色補正、濃度補正や鮮鋭化処理、部分的な画像補正などの各種画像処理を自由に行うことができるとともに迅速な焼き増し処理が可能になり、さらに、色および濃度の再現性や解像度に優れたより高画質の良好なプリントを得ることが可能となる。
【０００３】
かかる写真処理装置に備えられている露光装置の一つとして、例えば、Ｒ（赤）、Ｇ（緑）、Ｂ（青）の３色の光を順次出射する光源と、主走査方向（感光材料の搬送方向と直交する方向）に沿って複数の素子（例えば、ＰＬＺＴ方式においては、光源から出射された光を遮蔽する状態と透過する状態とを切り換えることができる光シャッタ素子）が配置された露光ヘッドを用いたライン露光装置がある。ライン露光装置では、副走査方向に搬送される感光材料と主走査方向に延在する露光ヘッドとを対向させて、感光材料に露光処理を施す。また、露光ヘッドにおける複数の素子の配列長さ（有効露光幅）は、当該露光ヘッドが備えられた露光装置で用いられる種々の感光材料の最大幅よりも広くなっている。これにより、感光材料が主走査方向に位置ずれした状態で印画紙が搬送された場合であっても、感光材料の全面に露光処理を施すことが可能となる。
【０００４】
露光ヘッドに配置された複数の素子は、個体差や経年変化により互いにその特性が異なる。各素子の特性のバラツキは、画像品質を大きく低下させる要因となる。したがって、各素子の特性のバラツキを調整する、すなわちユニフォミティの補正を行う必要がある。特許文献１には、ユニフォミティの補正方法として、まず、露光ヘッドと感光材料とを対向させた状態で感光材料に露光処理を施すことによって潜像を形成し、次に現像処理によって画像を顕在化させた後、スキャナによって画像の濃度を読み取って、各素子に対する補正テーブルを生成する方法が記載されている。しかしながら、係る方法では、上述のように、露光ヘッドの有効露光幅は感光材料の最大幅よりも広いので、感光材料と対向しない領域に配置された素子についてはユニフォミティの補正を行うことができない。
【０００５】
そこで、特許文献２には、所定のサイズに切断された状態で副走査方向に搬送される感光材料を挟持し、その搬送位置を主走査方向にシフトさせることができる振り分け機構を備えており、ユニフォミティをとるためのテスト露光を行う際には、振り分け機構によって、感光材料の幅方向一端部が露光ヘッドの長手方向一端部よりも外側に位置するように感光材料の搬送位置をシフトさせた状態で露光処理を行った後、感光材料の幅方向他端部が露光ヘッドの長手方向他端部よりも外側に位置するように感光材料の搬送位置をシフトさせた状態で再び露光処理を行う写真プリント装置が開示されている。これによって、露光ヘッドの有効露光幅全域に亘ってユニフォミティをとることができる。
【特許文献１】特開２０００−２３３５２８号公報
【特許文献２】特開２００２−３５０９９１号公報
【発明の開示】
【発明が解決しようとする課題】
【０００６】
しかしながら、上述のように、感光材料の搬送位置を主走査方向にシフトさせる振り分け機構は、部品点数が多く複雑な機構である。
【０００７】
そこで、本発明の目的は、簡易な機構によって感光材料の最大幅よりも広い幅でユニフォミティのためのテスト露光を行うことを可能とする写真処理装置を提供することである。
【課題を解決するための手段及び効果】
【０００８】
本発明の写真処理装置は、感光材料に露光を施して写真プリントを作成する写真処理装置において、巻回された長尺の感光材料を収容する供給マガジンと、前記供給マガジンを収容する収容室が形成された筐体と、前記筐体内に配置されており、前記供給マガジンから引き出された感光材料を搬送する搬送機構と、前記筐体内に配置されていると共に、感光材料の搬送方向と直交する主走査方向に沿って配列された複数の素子を有しており、前記素子からの光によって感光材料に対して露光処理を施す露光ヘッドと、主走査方向に沿って移動可能であり、前記供給マガジンを押圧することによって、前記収容室内において前記供給マガジンを主走査方向に移動させることが可能な押圧部材と、前記押圧部材を移動させるための駆動機構とを備えている。
【０００９】
この構成によると、ユニフォミティのためのテスト露光を行う際に、押圧部材によって供給マガジンを押圧し、主走査方向に供給マガジンを移動させることができる。つまり、露光ヘッドによる露光位置における感光材料の搬送位置を露光ヘッドの複数の素子の配列方向である主走査方向に沿って移動させることができる。したがって、簡易な機構によって感光材料の最大幅よりも広い幅でユニフォミティのためのテスト露光を行うことができる。
【００１０】
本発明の写真処理装置は、前記駆動機構が、モータと、前記モータにより回転駆動される原動軸と、前記押圧部材による押圧方向に延在していると共に前記押圧部材が嵌合固定されたボルトと、前記ボルトに螺合されており、前記押圧方向における位置が固定されたナットと、前記ナットと同軸上に配置されていると共に、前記ナットと一体に形成されている歯車と、前記原動軸の回転力を前記歯車に伝達する回転力伝達部とを有していてもよい。この構成によると、モータを駆動させることによって、ナットと一体に形成された歯車を回転させ、ナットが螺合するボルトを押圧部材と共に押圧方向に沿って移動させることができる。したがって、簡易な機構で押圧部材を移動させることができる。
【００１１】
本発明の写真処理装置は、前記収容室内に配置され、且つ前記押圧方向に延在する１又は複数の位置決めピンをさらに備えており、前記供給マガジンに、前記位置決めピンが挿嵌される孔又は凹部が形成されていることが好ましい。この構成によると、収容室内における供給マガジンの押圧方向と直交する方向の位置を規制することができる。したがって、供給マガジンを押圧方向に沿って移動させる際に、真っ直ぐに移動させることができる。
【００１２】
本発明の写真処理装置は、１又は複数の前記位置決めピンのうちの少なくとも１つが前記ボルトと同軸上において前記ボルトの一端から連続して形成されていてもよい。この構成によると、供給マガジンの押圧方向と直交する位置を規制している位置決めピンと押圧部材が嵌合固定されたボルトとが押圧方向に沿う一直線上に位置しているので、押圧部材で供給マガジンを押圧することによって供給マガジンに回転力（モーメント）が加わることがない。したがって、供給マガジンをスムーズに押圧方向に移動させることができる。
【００１３】
本発明の写真処理装置では、前記収容室への前記供給マガジンの収容方向と前記押圧部材による前記供給マガジンの押圧方向とが互いに逆方向であって、前記収容室に前記供給マガジンを収容する際に、前記押圧部材が、前記収容室において前記供給マガジンが移動可能な領域よりも前記供給マガジンの収容方向奥側に位置するように前記駆動機構を制御する退避制御手段をさらに備えていることが好ましい。この構成によると、供給マガジン収容時に、供給マガジンと押圧部材とが勢い良く接触することによって、例えば押圧部材の駆動機構等の部材が損傷するのを防ぐことができる。
【００１４】
本発明の写真処理装置は、前記収容室への前記供給マガジンの収容方向と前記押圧部材による前記供給マガジンの押圧方向とが互いに逆方向であって、前記収容室を開閉する扉体の前記収容室側に設けられており、前記供給マガジンを前記収容方向に付勢する付勢機構をさらに備えていてもよい。
【００１５】
本発明の写真処理装置は、前記供給マガジンを載置するためのマガジン台と、前記マガジン台を前記押圧部材による前記供給マガジンの押圧方向と反対の方向に付勢する付勢機構とをさらに備えていてもよい。
【００１６】
これらの構成によると、押圧部材を押圧方向に移動させた際には、供給マガジンは、押圧方向に移動し、押圧部材を押圧方向とは反対の方向に移動させた際には、供給マガジンは、付勢機構の付勢力によって、押圧方向とは反対の方向に移動する。したがって、供給マガジンを押圧方向及び押圧方向とは反対の方向の２方向に移動させることが可能となる。また、供給マガジンが押圧方向とは反対の方向に付勢されることにより、供給マガジンが当接する押圧部材も常に押圧方向とは反対の方向に付勢される。これにより、押圧部材の駆動機構として、例えば、押圧方向に延在していると共に押圧部材が嵌合固定されたボルトと、ボルトに螺合されていると共に押圧方向における位置が固定されたナットとを用いている場合には、押圧部材と共にボルトについても常に押圧方向とは反対の方向に付勢される。よって、ボルトのネジ溝とナットのネジ山とは常に（供給マガジンの移動方向に拘らず）同じ面（具体的には、押圧方向とは反対方向の面）で当接する。その結果、ネジ溝の幅とネジ山の幅とのギャップによって、供給マガジンの位置再現性が低下することを防止することができる。
【００１７】
本発明の写真処理装置は、前記供給マガジンが、前記押圧部材による押圧方向における基準位置にあるか否かを検出するためのセンサをさらに備えていてもよい。この構成によると、供給マガジンの押圧方向における位置を把握することができる。
【００１８】
本発明の写真処理装置は、前記基準位置に配置された前記供給マガジンから引き出された感光材料に対して前記露光ヘッドによって露光処理を行うことで形成された画像のうち、複数の前記素子のうち配列方向中心に位置する素子によって感光材料に形成されたマーキングの位置と、当該感光材料の幅方向中心位置との差であるずれ量に基づいて、前記駆動機構を制御する位置補正制御手段とをさらに備えていてもよい。
【００１９】
収容室内の同じ位置に供給マガジンをセットしても、供給マガジンの個体差や供給マガジンに収容される感光材料のメーカ、製品等の違いによって、供給マガジンと供給マガジンに収容される感光材料との組合せ毎に、供給マガジンから引き出される感光材料の幅方向中心位置にバラツキが生じる。これによって、感光材料の幅方向中心位置と感光材料に形成される画像の中心とがずれる場合がある。上述の構成によると、供給マガジンを移動させることによって、露光ヘッドの複数の素子のうちの配列方向中心に位置する素子と、感光材料の幅方向中心位置とを一致させることができる。したがって、感光材料の幅方向中心位置と感光材料に形成される画像の中心とがずれるのを防止することができる。
【００２０】
本発明の写真処理装置は、前記ずれ量を記憶するずれ量記憶手段をさらに備えていてもよい。この構成によると、供給マガジンと供給マガジンに収容される感光材料との組合せ毎のずれ量を記憶させておくことができる。
【発明を実施するための最良の形態】
【００２１】
以下、本発明の好適な一実施の形態について、図面を参照しつつ説明する。図１は、本実施の形態に係る写真処理装置の概略構成を示す図である。図１に示すように、写真処理装置１には、その内部で印画紙２に対して露光処理が行われるプリント筐体３と、その内部で露光処理済みの印画紙２に対して現像・乾燥処理が行われるプロセッサ筐体４とが設けられている。つまり、写真処理装置１内では、プリント筐体３からプロセッサ筐体４に向かって印画紙２が搬送されて処理が行われる。そこで、以下の説明において、図１の矢印Ａで示す紙面左下から右上に向かう方向を「処理方向」と称する。
【００２２】
プリント筐体３の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。モニタ５やスキャナ装置６の手前側には、操作テーブル８が設けられている。操作テーブル８には、各種のデータの入力や写真処理装置１に対する指示入力を行うための操作卓９が設けられている。また、プリント筐体３の内部には、長尺の巻回された印画紙２を格納する供給マガジン９０を収容するための収容室１０が形成されている。なお、供給マガジン９０は、その内部に格納されている印画紙２の幅方向が写真処理装置１の奥行き方向と一致するように収容される。また、収容室１０内には、供給マガジン９０の有無を検出するマガジン検出センサ６５が設けられている。そして、プリント筐体３の正面（図１において、紙面右手前側面）には、収容室１０を開閉するための扉体１１が設けられている。
【００２３】
プロセッサ筐体４には、プリント筐体３及びプロセッサ筐体４内で所定の処理が施された印画紙２を仕上がり写真プリントとして装置外に排出するプリント排出部１２が設けられている。そして、プロセッサ筐体４の上部には、プリント排出部１２から排出された写真プリントを受け止めて搬送する横送りコンベア１３と、横送りコンベア１３によって搬送された写真プリントを受け取りオーダ単位で仕分けた状態で搬送するオーダコンベア１４とが配置されている。
【００２４】
次に、収容室１０内の構成について詳細に説明する。図２は、扉体１１を開いた状態を示す図である。図２に示すように、扉体１１は開き扉である。そして、扉体１１の収容室１０側の面には、収容室１０内に収容された供給マガジン９０を収容室１０の奥側に付勢するための付勢機構２０が設けられている。
【００２５】
ここで、付勢機構２０の扉体１１と直交する面での概略断面図である図３を参照しつつ、付勢機構２０の構成について説明する。扉体１１を閉めた状態において、図３の紙面右側はプリント筐体３内（収容室１０内）であり、紙面左側はプリント筐体３外である。以下の説明において、扉体１１から収容室１０内に向かう方向（図３において、矢印Ｂで示す方向）を「付勢方向」と称する。付勢機構２０は、図３に示すように、扉体１１の収容室１０側の面に固定された略円筒形のボス部２１と、その一端がボス部２１の内部から外部へ付勢方向に沿って突出しており、ボス部２１によって付勢方向に沿って移動可能に支持されている付勢ピン２２と、ボス部２１内において、扉体１１と付勢ピン２２との間に配置されており、付勢ピン２２を付勢方向に付勢するばね２３とを備えている。これによって、扉体１１を閉めた状態で、付勢ピン２２の先端部が供給マガジン９０に当接したときには、供給マガジン９０は、付勢ピン２２の付勢方向とは反対の方向への移動量に応じて、ばね２３の弾性力によって付勢方向に付勢される。
【００２６】
図２に戻って、供給マガジン９０は、マガジン台２５に載置されている。マガジン台２５は、印画紙２の幅方向に沿ってスライド可能であり、扉体１１を開いた状態で、収容室１０の外まで引き出すことができる。ここで、図４を参照しつつ、マガジン台２５について詳細に説明する。図４において、マガジン台２５のスライド方向は、紙面右奥から紙面左手前に向かう方向であり、矢印Ｃで示す。図４に示すように、マガジン台２５は、略矩形状の底面２５ａと、４つの側壁２５ｂ、２５ｃ、２５ｄ、２５ｅとで構成されている。また、マガジン台２５の４つの側壁２５ｂ〜２５ｅのうち、マガジン台２５のスライド方向と平行な２つの側壁２５ｄ、２５ｅは、断面形状が略Ｃ字状の２本のレール２９によって、それぞれ摺動可能に支持されている。なお、２本のレール２９は、収容室１０の底面に固定された支持部材２９ａに、その切欠部分が互いに対向するように取り付けられている。このような構成により、マガジン台２５を収容室１０の外に引き出した状態で、マガジン台２５の底面２５ａに供給マガジン９０を載置することができるので、写真処理装置１のオペレータは、容易に供給マガジン９０を写真処理装置１にセットすることができる。
【００２７】
図５に、供給マガジン９０を収容した状態の収容室１０内の状態を示す。図５において、紙面右奥側が装置の手前側、紙面左手前側が装置奥側となる。以下の説明において、装置手前側から奥側に向かう方向（図５において、矢印Ｄで示す方向）を「収容方向」と称する。図５に示すように、供給マガジン９０から引き出された印画紙２は、搬送ローラ２６によって処理方向に沿って搬送され、印画紙２の幅方向に延在するカッタ２７による切断位置、及び印画紙２の幅方向に延在するライン式の露光ヘッド２８による露光位置を順に通過する。
【００２８】
ここで、本実施の形態の露光ヘッド２８での露光方式は、ＰＬＺＴ方式である。したがって、図６に示すように、露光ヘッド２８の印画紙２と対向する露光面２８ａには、図示しない光源から出射された光を遮蔽する状態と透過する状態とを切り換える複数の光シャッタ素子２８ｂが印画紙２の幅方向に沿って配列されている。なお、光シャッタ素子２８ｂの配列長さ、すなわち露光ヘッド２８の有効露光領域の幅は、印画紙２の幅よりも広い。
【００２９】
なお、各光シャッタ素子２８ｂ間の個体差や経年変化に起因する特性のばらつきを補正するユニフォミティ補正を行うために、テスト露光を行う際には、各光シャッタ素子２８ｂをそれぞれ駆動し、Ｒ（赤）、Ｇ（緑）、Ｂ（青）の色相で所定の濃度のラインを数ミリから１センチ程度形成する。これにより、現像された印画紙２には、図７に示すような帯状のテスト画像２ａが形成される。また、配列方向中心に位置する光シャッタ素子２８ｂによって、図７に示すようなマーキング２ｂが形成される。これによって、印画紙２における露光ヘッド２８の有効露光領域の中心位置を確認することができる。
【００３０】
露光ヘッド２８による露光位置において、印画紙２がその幅方向に位置ずれした状態で搬送された場合には、図６において、印画紙２と対向する光シャッタ素子２８ｂ以外も使用することとなる。したがって、ユミフォミティ補正を行うためのテスト露光を行う際には、印画紙２の幅よりも広い幅で露光処理を行う必要がある。なお、本実施の形態では、図６に示すように、印画紙２の幅が２０３ｍｍのときに、有効露光領域の中心位置を中心とする２１０ｍｍの幅の領域でテスト露光を行うこととする。
【００３１】
次に、図８を参照しつつ、供給マガジン９０の構造について説明する。なお、供給マガジン９０が収容室１０に収容された際には、図８において、紙面右奥側が装置手前側、紙面左手前側が装置奥側となる。したがって、紙面右奥側から左手前側に向かう方向（図８において、矢印Ｅで示す方向）が収容方向となる。供給マガジン９０は、略直方体形状であり、内部に格納された印画紙２が排出される排出口９２と、２つの凹部９３、９４とが形成されている。より詳細には、供給マガジン９０の上面は、その上面における収容方向に沿う一辺に対応する長手部分９１ａと、その長手部分の一端から収容方向手前側の一辺へ沿って折れ曲がった短手部分９１ｂとからなるＬ字状に突出した突出部９１が形成されている。そして、排出口９２は、長手部分９１ａの上面に形成されている。凹部９３は、収容室１０に収容方向奥側の面の長手部分９１ａに対応する部分に形成されており、収容方向とは反対の方向に窪んでいる。凹部９３には、後で詳述するように印画紙２の幅方向に沿って移動可能であると共に、印画紙２の幅方向に沿って延在する位置決めピン３１が挿嵌される。凹部９４は、短手部分９１ｂの収容方向奥側の面に形成されており、収容方向とは反対の方向に窪んでいる。凹部９４には、プリント筐体３に対して固定されていると共に、印画紙２の幅方向に沿って延在する位置決めピン３２が挿嵌される。
【００３２】
位置決めピン３１と連続して形成されているボルト４５（後で詳述する）には、押圧部材４６が嵌合されている。また、押圧部材４６は、後述する押圧部材駆動機構４０（図５参照）によって、印画紙２の幅方向に沿って移動可能となっている。よって、押圧部材４６を供給マガジン９０に近づく方向に移動させることで、供給マガジン９０を扉体１１に設けられた付勢機構２０による付勢方向とは反対の方向に押圧することができる。したがって、押圧部材４６を付勢機構２０による付勢方向とは反対側に移動させた場合には、供給マガジン９０は、押圧部材４６の押圧力によって押圧方向に移動し、押圧部材４６を付勢機構２０による付勢方向に移動させた場合には、供給マガジン９０は、付勢機構２０の付勢力によって付勢方向に移動する。
【００３３】
つまり、収容室１０内に収容された供給マガジン９０の凹部９３の近傍を処理方向から観た図である図９に示すように、供給マガジン９０は、押圧部材４６と当接しつつ押圧部材４６と連動し、印画紙２の幅方向に沿って移動可能である。したがって、写真処理装置１内における印画紙２の搬送経路を印画紙２の幅方向に沿って移動させることができる。なお、収容室１０内で供給マガジン９０が移動する際には、マガジン台２５も供給マガジン９０に連動して移動する。
【００３４】
ここで、図５における押圧部材駆動機構４０の周辺の破線で囲まれた領域の拡大図である図１０を参照しつつ、押圧部材駆動機構４０について説明する。押圧部材駆動機構４０は、モータ４１と、モータ４１により回転駆動されると共に、印画紙２の幅方向に沿って延在する原動軸４３と、印画紙２の幅方向に延在していると共に、押圧部材４６が嵌合固定されたボルト４５と、ボルト４５に螺合されており、印画紙２の幅方向における位置が固定されたナット４７と、ナット４７と同軸上に配置されていると共に、ナット４７と一体に形成されている従動歯車４９と、原動軸４３の回転力を従動歯車４９に伝達する回転力伝達部５０とを有している。
【００３５】
また、ボルト４５の収容方向手前側の一端からは、上述の位置決めピン３１が連続して形成されている。そして、位置決めピン３１とボルト４５とは同軸上に配置される。さらに、回転力伝達部５０は、原動軸４３と一体に形成されている原動歯車５１と、原動歯車５１と噛み合うと共に、原動歯車５１の径よりも大きな径を有する大径歯車５３ａ及び、大径歯車５３ａと同軸上において大径歯車５３ａと一体に形勢されていると共に、大径歯車５３ａよりも小さな径を有する小径歯車５３ｂからなる減速ギア５３と、減速ギア５３の小径歯車５３ｂ及び従動歯車４９に噛み合う遊び歯車５７とを有している。
【００３６】
したがって、モータ４１の駆動により原動軸４３が回転すると、回転力伝達部５０を介して原動軸４３の回転力が従動歯車４９に伝達される。このとき、従動歯車４９と一体に形成されているナット４７も回転する。そして、ナット４７の回転に伴って、ナット４７が螺合されているボルト４５は、押圧部材４６及び位置決めピン３１と共に印画紙２の幅方向に沿って移動する。なお、モータ４１の駆動を切り換えて、原動軸４３の回転方向を変更することによって、ナット４７の回転方向を変更することができる。つまり、ボルト４５の移動方向、すなわち押圧部材４６の移動方向は、収容方向と収容方向とは反対の方向とに切り換え可能である。
【００３７】
なお、本実施の形態のモータ４１は、ステッピングモータであるので、原動軸４３の回転数は正確に制御可能である。つまり、モータ４１の駆動を制御することによって、押圧部材４６の移動量、すなわち、供給マガジン９０の移動量を正確に制御することができる。
【００３８】
また、上述したように、供給マガジン９０は、付勢ピン２２によって常に収容室１０の奥側に向かって付勢されている。つまり、供給マガジン９０と当接している押圧部材４６及び押圧部材４６が嵌合固定されているボルト４５も常に収容室１０の奥側に向かって付勢されている。したがって、ボルト４５及びナット４７の収容方向に沿った部分断面図である図１１に示すように、ボルト４５及びナット４７は、ナット４７の回転方向、すなわちボルト４５の移動方向に拘らず、常に同じ面で当接する。より詳細には、ボルト４５のネジ溝の付勢方向手前側の面４５ａ（図１１においては紙面右側の面）と、ナット４７のネジ山の付勢方向手前側の面４７ａ（図１１においては紙面右側の面）とが当接する。
【００３９】
図１０に戻って、ボルト４５の収容方向奥側の他端部には、収容方向に沿って延在する棒状の被検出部材６１が連続して形成されており、ボルト４５の収容方向奥側には、被検出部材６１を検出する位置検出センサ６０が配置されている。本実施の形態では、位置検出センサ６０が被検出部材６１の収容方向とは反対側の一端を検出した際の供給マガジン９０の位置を「基準位置」とする。
【００４０】
また、写真処理装置１には、写真処理装置１全体を制御するコントローラ７０が備えられている。図１２は、コントローラ７０の概略構成を示すブロック図である。図１２に示すように、コントローラ７０は、露光データ記憶部７１、マガジン収容判断部７２、基準位置判断部７３、ずれ量記憶部７４、押圧部材駆動制御部７５、搬送制御部７６、切断制御部７７、及び露光制御部７８を備えている。
【００４１】
露光データ記憶部７１は、露光ヘッド２８によって露光を行うためのデータを記憶する。具体的には、テスト露光を行う際の露光データ、すなわちテスト画像２ａを構成するＲ、Ｇ、Ｂにそれぞれ対応するラインの長さや濃度等が記憶されている。マガジン収容判断部７２は、マガジン検出センサ６５から受信した供給マガジン９０を検出したか否かの情報に基づいて、収容室１０に供給マガジン９０が収容されているか否かを判断する。基準位置判断部７３は、位置検出センサ６０が被検出部材６１を検出している状態から、被検出部材６１を検出しない状態となった際、すなわち、位置検出センサ６０が被検出部材６１の収容方向とは反対側の一端を検出した際に、供給マガジン９０が基準位置に位置していると判断する。
【００４２】
ずれ量記憶部７４は、供給マガジン９０を基準位置とした状態でテスト露光を行うことによって印画紙２に形成されるマーキング２ｂの位置、すなわち、露光ヘッド２８の有効露光領域の中心位置と、印画紙２の幅方向中心位置とのずれ量（図７参照）を記憶する。収容室１０内の同じ位置に供給マガジン９０をセットしても、供給マガジン９０の個体差や供給マガジン９０に収容される印画紙２のメーカ、製品等の違いによって、供給マガジン９０と供給マガジン９０に収容される印画紙２との組合せ毎に、供給マガジン９０から引き出される印画紙２の幅方向中心位置にバラツキが生じる。したがって、本実施の形態では、写真処理装置１の操作者が、あらかじめ、供給マガジン９０と供給マガジン９０に収容される印画紙２との組合せ毎に上述のずれ量を計測し、操作卓９を用いてずれ量を入力している。
【００４３】
押圧部材駆動制御部７５は、押圧部材駆動機構４０、より詳細には、モータ４１の駆動を制御する。押圧部材駆動制御部７５は、マガジン収容判断部７２による判断結果が、収容室１０内に供給マガジン９０が収容されている状態から、供給マガジン９０が収容されていない状態となったとき、すなわち、供給マガジン９０が収容室１０から取り出されたときに、収容室１０内において供給マガジン９０が移動可能な領域よりも収容方向奥側の退避位置に押圧部材４６が移動するように、モータ４１の駆動を制御する。また、マガジン収容判断部７２による検出結果が、収容室１０内に供給マガジン９０が収容されていない状態から、供給マガジン９０が収容されている状態となったとき、押圧部材４６が供給マガジン９０と当接すると共に、基準位置判断部７３によって供給マガジン９０が基準位置に位置していることが検出されるまで、供給マガジン９０を収容方向とは反対の方向に押圧するように、モータ４１の駆動を制御する。さらに、押圧部材駆動制御部７５は、基準位置に位置している供給マガジン９０が、ずれ量記憶部７４に記憶されているずれ量分だけ基準位置から移動するように、モータ４１の駆動を制御する。なお、このようにしてずれ量を補正した供給マガジン９０の位置を、「中心位置」と称する。
【００４４】
加えて、図１４に示すように、押圧部材駆動制御部７５は、中心位置（図中に実線で示す）に位置している供給マガジン９０が、露光ヘッド２８による露光位置における印画紙２の収容方向奥側の端部が、テスト露光領域の収容方向奥側の端部と一致する位置（図中に破線で示す；以降、「奥側位置」と称する）に移動するように、モータ４１の駆動を制御する。また、図１５に示すように、奥側位置（図中に実線で示す）に位置している供給マガジン９０が、露光ヘッド２８による露光位置における印画紙２の収容方向手前側の端部が、テスト露光領域の収容方向手前側の端部と一致する位置（図中に破線で示す；以降、「手前側位置」と称する）に移動するように、モータ４１の駆動を制御する。さらに、手前側位置に位置している供給マガジン９０が、再び中心位置へ移動するように、モータ４１の駆動を制御する。
【００４５】
搬送制御部７６は、搬送ローラ２６等、写真処理装置１内で印画紙２を搬送するローラを駆動するローラ駆動機構８１を制御する。切断制御部７７は、カッタ２７を駆動するカッタ駆動機構８２を制御する。露光制御部７８は、露光データ記憶部７１に記憶されている露光データに基づいて露光処理が行われるように、露光ヘッド２８を制御する。
【００４６】
続いて、図１３を参照しつつ、本実施の形態の写真処理装置１の動作ついて説明する。図１３は、写真処理装置１において、テスト露光を行う際の処理手順を示すフローチャートである。
【００４７】
まず、マガジン収容判断部７２によって、収容室１０内に供給マガジン９０が収容されたか否かが判断される（ステップＳ１０１）。なお、収容室１０内に供給マガジン９０が収容される前は、押圧部材４６は、退避位置に位置している。供給マガジン９０が収容されていないと判断された場合には（ステップＳ１０１：ＮＯ）、供給マガジン９０が収容されたと判断されるまで、ステップＳ１０１での判断が繰り返し行われる。一方、供給マガジン９０が収容されたと判断された場合には（ステップＳ１０１：ＹＥＳ）、押圧部材駆動制御部７５によって、退避位置に位置している押圧部材４６が収容方向手前側に移動するように押圧部材駆動機構４０が制御される。このとき、押圧部材４６は供給マガジン９０と当接すると共に、供給マガジン９０を押圧する（ステップＳ１０２）。
【００４８】
続いて、基準位置判断部７３によって、供給マガジン９０が基準位置に位置しているか否かが判断される（ステップＳ１０３）。基準位置に位置していると判断されなかった場合には（ステップＳ１０３：ＮＯ）、基準位置に位置していると判断されるまで、ステップＳ１０３の判断が繰り返し行われる。一方、基準位置に位置していると判断された場合には（ステップＳ１０３：ＹＥＳ）、押圧部材駆動制御部７５によって、基準位置に位置している供給マガジン９０が、ずれ量記憶部７４に記憶されているずれ量分だけ移動し、中心位置に位置するように、押圧部材駆動機構４０が制御される（ステップＳ１０４）。
【００４９】
その後、図１４に示すように、押圧部材駆動制御部７５によって、中心位置に位置している供給マガジン９０が奥側位置まで移動するように、押圧部材駆動機構４０が制御される（ステップＳ１０５）。このとき、搬送制御部７６によってローラ駆動機構８１が制御され、印画紙２が供給マガジン９０内から引き出されると共に処理方向に沿って搬送される。そして、切断制御部７７によってカッタ駆動機構８２が制御され、印画紙２が所定のサイズに切断される。さらに、露光制御部７８によって露光ヘッド２８が駆動され、露光位置まで搬送された印画紙２に対して、露光データ記憶部７１に記憶されているテスト露光の露光データに基づいて露光処理が行われる（ステップＳ１０６）。
【００５０】
続いて、押圧部材駆動制御部７５によって、奥側位置に位置している供給マガジン９０が手前側位置まで移動するように、押圧部材駆動機構４０が制御される（ステップＳ１０７）。このとき、再び、供給マガジン９０内の印画紙２の搬送が開始され、所定サイズに切断された後、露光位置においてテスト露光が行われる（ステップＳ１０８）。その後、押圧部材駆動制御部７５によって、手前側位置に位置している供給マガジン９０が中心位置まで移動するように、押圧部材駆動機構４０が制御される（ステップＳ１０９）。
【００５１】
テスト露光の処理は、上述のような手順で行われる。そして、上述のステップＳ１０６及び１０８におけるテスト露光によって作成されたテスト画像２ａに基づいて、テスト露光領域の全域に対応する複数の光シャッタ素子２８ｂのユニフォミティ補正が行われる。その後、写真プリントの作成が行われる。なお、印画紙２を補充する場合や、印画紙２を別の種類に交換する場合等に、供給マガジン９０が収容室１０内から取り出された際、すなわち、マガジン収容判断部７２による判断結果が、収容室１０内に供給マガジン９０が収容されている状態から、供給マガジン９０が収容されていない状態となった際には、押圧部材駆動制御部７５によって、押圧部材４６が退避位置まで移動するように、押圧部材駆動機構４０が制御される。
【００５２】
以上のように、本実施の形態の写真処理装置１では、押圧部材駆動機構４０によって印画紙２の幅方向に沿って移動可能な押圧部材４６が、供給マガジン９０を押圧する。したがって、ユニフォミティのためのテスト露光を行う際に、印画紙２の幅方向に沿って供給マガジンを移動させることができる。つまり、露光ヘッド２８による露光位置における印画紙２の搬送位置を露光ヘッド２８の複数の光シャッタ素子２８ｂの配列方向に沿って移動させることができる。よって、簡易な機構によって印画紙２の幅よりも広い幅でユニフォミティのためのテスト露光を行うことができる。
【００５３】
また、本実施の形態の写真処理装置１では、押圧部材駆動機構４０は、モータ４１と、モータ４１により回転駆動される原動軸４３と、印画紙２の幅方向に延在していると共に、押圧部材４６が嵌合固定されたボルト４５と、ボルト４５に螺合されており、印画紙２の幅方向における位置が固定されたナット４７と、ナット４７と同軸上に配置されていると共に、ナット４７と一体に形成されている従動歯車４９と、原動軸４３の回転力を従動歯車４９に伝達する回転力伝達部５０とを有している。よって、モータ４１を駆動させることによって、ナット４７と一体に形成された従動歯車４９を回転させ、ナット４７が螺合するボルト４５を押圧部材４６と共に印画紙２の幅方向に沿って移動させることができる。したがって、簡易な機構で押圧部材４６を移動させることができる。
【００５４】
さらに、本実施の形態の写真処理装置１では、収容室１０内に、印画紙２の幅方向に沿って延在する位置決めピン３１、３２が設けられており、供給マガジン９０に、位置決めピン３１、３２がそれぞれ挿嵌される凹部９３、９４が形成されている。これにより、収容室１０内における処理方向に関する供給マガジン９０の位置を規制することができる。したがって、供給マガジン９０を印画紙２の幅方向に沿って移動させる際に、真っ直ぐに移動させることができる。
【００５５】
加えて、本実施の形態の写真処理装置１では、位置決めピン３１が、ボルト４５と同軸上においてボルト４５の一端から連続して形成されている。したがって、処理方向に関する供給マガジン９０の位置を規制している位置決めピン３１と押圧部材４６が嵌合固定されたボルト４５とが印画紙２の幅方向に沿う一直線上に位置しているので、押圧部材４６で供給マガジン９０を押圧することによって供給マガジン９０に回転力（モーメント）が加わることがない。したがって、供給マガジン９０をスムーズに印画紙２の幅方向に沿って移動させることができる。
【００５６】
また、本実施の形態の写真処理装置１では、押圧部材駆動制御部７５は、マガジン収容判断部７２による判断結果が、収容室１０内に供給マガジン９０が収容されている状態から、供給マガジン９０が収容されていない状態となったとき、すなわち、供給マガジン９０が収容室１０から取り出されたときに、収容室１０内において供給マガジン９０が移動可能な領域よりも収容方向奥側の退避位置に押圧部材４６が移動するように、モータ４１の駆動を制御する。したがって、供給マガジン９０収容時に、供給マガジン９０と押圧部材４６とが勢い良く接触することによって、押圧部材駆動機構４０、具体的には、例えばボルト４５のナット４７との当接面等が損傷するのを防ぐことができる。
【００５７】
さらに、本実施の形態の写真処理装置１では、収容室１０を開閉する扉体１１の収容室１０側に設けられており、収容室１０内に収容されている供給マガジン９０を装置奥側に付勢する付勢機構２０が備えられている。したがって、押圧部材４６を収容方向、すなわち付勢方向とは反対の方向に移動させた際には、供給マガジン９０は、付勢方向とは反対の方向に移動し、押圧部材４６を付勢方向に移動させた際には、供給マガジン９０は、付勢機構２０の付勢力によって、付勢方向に移動する。したがって、供給マガジン９０を収容方向及び収容方向とは反対の方向の２方向に移動させることが可能となる。また、供給マガジン９０が付勢方向に付勢されることにより、ボルト４５に嵌合固定されている押圧部材４６も常に付勢方向に付勢される。よって、ボルト４５のネジ溝とナット４７のネジ山とは、供給マガジン９０の移動方向に拘らず、常に同じ面で当接する。その結果、ボルト４５のネジ溝の幅とナット４７のネジ山の幅とのギャップによって、供給マガジン９０の位置再現性が低下することを防止することができる。
【００５８】
また、本実施の形態の写真処理装置１では、供給マガジン９０が基準位置に位置しているか否かを検出するための位置検出センサ６０を備えている。したがって、印画紙２の幅方向に関する供給マガジン９０の位置を把握することができる。
【００５９】
加えて、本実施の形態の写真処理装置１では、押圧部材駆動制御部７５は、基準位置に位置する供給マガジン９０が、基準位置に位置する供給マガジン９０から引き出された印画紙２に対して露光ヘッド２８によってテスト露光を行うことで形成されたマーキング２ｂの位置、すなわち、露光ヘッド２８の有効露光領域の中心位置と、印画紙２の幅方向中心位置とのずれ量分だけ移動するように、押圧部材駆動機構４０を制御する。よって、供給マガジン９０を移動させることで、露光ヘッド２８の有効露光領域の中心位置と、感光材料の幅方向中心位置とを一致させることができる。したがって、感光材料の幅方向中心位置と感光材料に形成される画像の中心とがずれるのを防止することができる。
【００６０】
また、本実施の形態の写真処理装置１では、基準位置に位置する供給マガジン９０から引き出された印画紙２に対して露光ヘッド２８によってテスト露光を行うことで形成されたマーキング２ｂの位置、すなわち、露光ヘッド２８の有効露光領域の中心位置と、印画紙２の幅方向中心位置とのずれ量を記憶するずれ量記憶部７４を有している。よって、供給マガジン９０と供給マガジン９０に収容される印画紙２との組合せ毎のずれ量を記憶させておくことができる。
【００６１】
なお、本実施の形態の写真処理装置１では、位置決めピン３１の一端に連続して形成されているボルト４５のネジ溝と、回転力伝達部５０によって原動軸４３の回転力が伝達される従動歯車４９と一体に形成されているナット４７のネジ山とが噛み合っている場合について説明したが、ボルト及びナットを互いにネジ溝同士が向かい合うように組み合わせ、それによって生じた溝にボールを入れ、そのボールが循環できるように戻り溝を設けたボールネジを採用することも考えられる。ボールネジは、高精度な位置決めに適している。この場合には、ナットに高面圧が加わり耐久性が低下するので、ナットの材質をリン青銅にするのが好ましい。また、モールネジを滑らかに動かすためには、ボールネジの等級に対して雌ネジであるナットの等級を２段階甘くすることが好ましい。
【００６２】
上述のように、ボールネジを採用することによって、供給マガジン９０の位置決めをより高精度に行うことができる。また、ボールネジは、比較的小さな駆動力で大きな推進力を出すことができるので、小さなモータを採用することができる。したがって、押圧部材駆動機構を設置するためのスペースを小さくすることができる。
【００６３】
さらに、押圧部材駆動機構として、カムを採用することも考えられる。具体的には、供給マガジン９０を上方から観た図である図１６に示すように、垂直方向に延在すると共に、モータ１４１により回転可能であり、楕円形の断面を有するカム軸１４３を設け、供給マガジン９０及びカム軸１４３に接触するように、印画紙２の幅方向に延在する押圧部材１４６を配置する。これにより、押圧部材１４６がカム軸１４３の短軸上に対応する部分に当接しているときに、カム軸１４３を回転させると、押圧部材１４６が収容方向とは反対の方向に移動し、供給マガジン９０は、押圧部材１４６の押圧力によって、収容方向とは反対の方向に移動する。一方、押圧部材１４６がカム軸１４３の長軸上に対応する部分に当接しているときに、カム軸１４３を回転させると、押圧部材１４６が収容方向に移動し、供給マガジン９０は、付勢機構２０の付勢力によって、収容方向に移動する。
【００６４】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、収容室１０を開閉する扉体１１の収容室１０側に、収容室１０内に収容されている供給マガジン９０を装置奥側に付勢する付勢機構２０が設けられている場合について説明したが、供給マガジン９０を装置奥側に付勢する付勢機構は、これに限られない。図１７に、付勢機構の一変形例を示す。図１７に示すように、マガジン台２５の側壁２５ｅに一端が固定されていると共に、側壁２５ｅが揺動可能に支持されているレール２９に他端が固定されたばね８９によって、マガジン台２５に載置された供給マガジン９０を装置奥側に付勢するようにしてもよい。
【００６５】
また、上述の実施の形態では、収容室１０内に、印画紙２の幅方向に沿って延在する位置決めピン３１、３２が設けられており、供給マガジン９０に、位置決めピン３１、３２がそれぞれ挿嵌される凹部９３、９４が形成されている場合について説明したが、これには限られない。例えば、位置決めピン３１、３２が、孔に挿嵌されるようにしてもよい。また、位置決めピン３１、３２、及び位置決めピン３１、３２が挿嵌される凹部９３、９４の数は、１つでもよいし、３つ以上であってもよい。また、位置決めピン３１、３２、及び凹部９３、９４は、なくてもよい。
【００６６】
また、上述の実施の形態では、位置決めピン３１が、ボルト４５と同軸上においてボルト４５の一端から連続して形成されている場合について説明したが、位置決めピン３１及びボルト４５は、互いに別々に形成されていてもよい。
【００６７】
さらに、上述の実施の形態では、押圧部材駆動制御部７５は、供給マガジン９０が収容室１０から取り出されたときに、収容室１０内において供給マガジン９０が移動可能な領域よりも収容方向奥側の退避位置に押圧部材４６が移動するように、モータ４１の駆動を制御する場合について説明したが、これには限られない。収容室１０に供給マガジン９０を収容する際に、押圧部材４６が退避位置に位置していればよいので、例えば、供給マガジン９０を収容する直前に押圧部材４６を退避位置に移動させるようにしてもよい。また、押圧部材４６を退避位置に移動させないようにしてもよい。
【００６８】
また、上述の実施の形態、及びその変形例では、供給マガジン９０を装置奥側に付勢する付勢機構を備えている場合について説明したが、付勢機構はなくてもよい。
【００６９】
加えて、上述の実施の形態では、供給マガジン９０が基準位置に位置しているか否かを検出するための位置検出センサ６０を備えている場合について説明したが、位置検出センサ６０はなくてもよい。
【００７０】
また、上述の実施の形態では、押圧部材駆動制御部７５が、供給マガジン９０が、露光ヘッド２８の有効露光領域の中心位置と、印画紙２の幅方向中心位置とのずれ量分を補正した中心位置に移動するように、押圧部材駆動機構４０を制御する場合について説明したが、これには限られない。供給マガジン９０が中心位置に移動しないようにしてもよい。
【００７１】
さらに、上述の実施の形態では、基準位置に位置する供給マガジン９０から引き出された印画紙２に対して露光ヘッド２８によってテスト露光を行うことで形成されたマーキング２ｂの位置、すなわち、露光ヘッド２８の有効露光領域の中心位置と、印画紙２の幅方向中心位置とのずれ量を記憶するずれ量記憶部７４を有している場合について説明したが、これには限られない。例えば、ずれ量記憶部７４を有しておらず、ずれ量をその都度入力するようにしてもよい。
【図面の簡単な説明】
【００７２】
【図１】本発明の実施の形態に係る写真処理装置の概略構成を示す図である。
【図２】図１に示す扉体を開いた状態を示す図である。
【図３】図２に示す付勢機構の付勢方向に沿う概略断面図である。
【図４】図２に示すマガジン台の構成を示す図である。
【図５】図１に示す収容室に供給マガジンを収容した状態を示す図である。
【図６】図５に示す露光ヘッドの概略構成を示す図である。
【図７】図６に示す露光ヘッドによって行われるテスト露光で作成される画像を示す図である。
【図８】図１に示す収容室に収容される供給マガジンの構成を示す図である。
【図９】図１に示す収容室に収容された状態の供給マガジンの凹部の近傍を処理方向から観た図である。
【図１０】図５における破線で囲まれた領域の拡大図である。
【図１１】図１０に示すボルト及びナットの収容方向に沿う断面図である。
【図１２】図１に示す写真処理装置を制御するコントローラの概略構成を示すブロック図である。
【図１３】図１に示す写真処理装置においてテスト露光を行う際の処理手順を示すフローチャートである。
【図１４】図８に示す供給マガジンが中心位置から奥側位置に移動する様子を示す模式図である。
【図１５】図８に示す供給マガジンが奥側位置から手前側位置に移動する様子を示す模式図である。
【図１６】押圧部材駆動機構にカムを用いた場合の押圧部材近傍の図である。
【図１７】本発明の付勢機構の一変形例を示す図である。
【符号の説明】
【００７３】
１  写真処理装置
２  印画紙（感光材料）
２ｂ  マーキング
３  プリント筐体（筐体）
１０  収容室
１１  扉体
２０  付勢機構
２５  マガジン台
２６  搬送ローラ（搬送機構）
２８  露光ヘッド
２８ｂ  光シャッタ素子
３１、３２  位置決めピン
４０  押圧部材駆動機構（駆動機構）
４１  モータ
４３  原動軸
４７  ナット
４９  従動歯車（歯車）
５０  回転力伝達部
６０  位置検出センサ（センサ）
７４  ずれ量記憶部（ずれ量記憶手段）
７５  押圧部材駆動制御部（退避制御手段、位置補正制御手段）
９３、９４  凹部
【図１】
2007025316.tif 000003
【図２】
2007025316.tif 000004
【図３】
2007025316.tif 000005
【図４】
2007025316.tif 000006
【図５】
2007025316.tif 000007
【図６】
2007025316.tif 000008
【図７】
2007025316.tif 000009
【図８】
2007025316.tif 000010
【図９】
2007025316.tif 000011
【図１０】
2007025316.tif 000012
【図１１】
2007025316.tif 000013
【図１２】
2007025316.tif 000014
【図１３】
2007025316.tif 000015
【図１４】
2007025316.tif 000016
【図１５】
2007025316.tif 000017
【図１６】
2007025316.tif 000018
【図１７】
2007025316.tif 000019